(57)【要約】      （修正有）【課題】放射性物質により汚染された舗装道路の効果的な除染を行い、除染後の汚染水を回収する路面除染小型清掃車を提供する。【解決手段】路面除染小型清掃車の後下部に設置された除染装置（スピナー３）が、舗装道路の凸凹等に装置が追従して洗浄効率を良くする目的に、上下リニアスライド及びローリング機構の組合せによる、ダンパー機構を有することを特徴とし、また、前記除染装置が、道路の幅に応じて横方向に任意に移動可能とする為に、車体フレームにスライドレールを固定し、決定した横方向位置に除染装置を固定する機構を有することを特徴とする。【選択図】図１
0003193797.tif 000002
【実用新案登録請求の範囲】
【請求項１】
路面除染小型清掃車の後下部に設置された除染装置が、舗装道路の凸凹等に装置が追従して洗浄効率を良くする目的に、上下リニアスライド及びローリング機構の組合せによる、ダンパー機構を有することを特徴とする路面除染小型清掃車。
【請求項２】
路面除染小型清掃車の後下部に設置された除染装置が、道路の幅に応じて横方向に任意に移動可能とする為に、車体フレームにスライドレールを固定し、決定した横方向位置に除染装置を固定する機構を有することを特徴とする請求項１の路面除染小型清掃車。
【考案の詳細な説明】
【技術分野】
【０００１】本考案は、放射性物質により汚染されたアスファルト若しくはコンクリートの舗装道路を高圧水で除染し、汚染水を吸引回収することにより、路面を除染する清掃作業車に関する。
【背景技術】
【０００２】従来、路面の除染作業は人が高圧放水及び洗浄ブラシ等で行われる事が多く、非効率作業であった。又大型の除染作業車も徐々に開発されているが、住宅街の狭い道路が除染困難で事故や問題が生じている。現状は降雨等により、放射性物質が拡散している状況である。【０００３】上記問題を改善する目的に、路面清掃車の改造車を従来技術として、調査した文献を列記する。
【先行技術文献】
【０００４】
【特許文献１】特開平７−２５２８７９号公報
【特許文献２】特許２００６−３３６５６７号公報  上記の改造により開発された除染清掃車  リムーバー３０００
【考案の概要】
【考案が解決しようとする課題】
【０００５】本考案は、上記従来技術の問題点に鑑みてなされたものであり、本考案の目的は、放射性物質により汚染された舗装道路の効果的な除染を行い、除染後の汚染水を回収する装置を提供することにある。
【課題を解決するための手段】
【０００６】上記目的を達成するためになされた本考案の除染装置は、トラック荷台に設置したタンクに入った洗浄水をポンプで汲み上げ、高圧で路面に放水する事で除染し、洗浄排水を即回収する装置をトラックの後下部に設置する事で拡散を防止する。この作業状況を撮影するカメラと運転助手席前に設置したモニターで、確実な除染作業をする。更にこの後下部の装置は、路面の凸凹に装置が追従して洗浄効率を良くする様に、ダンパー機構を備える。又、除染装置をトラックの横方向に移動可能なレールに固定する事で、道路の隅々まで除染することを特徴とする。
【考案の効果】
【０００７】本考案の路面除染清掃車によれば、放射性物質により汚染された舗装道路の除染が確実にでき、洗浄と共に洗浄排水の回収を行うので、放射性物質の拡散防止効果が得られる。
【図面の簡単な説明】
【０００８】
【図１】本考案の一実施形態による路面除染小型清掃車の構成を説明するための図である。
【図２】路面除染小型清掃車後下部の除染装置の構成を説明するための側面図である。
【図３】路面除染小型清掃車後下部の除染装置の構成を説明するための後面図である。
【考案を実施するための形態】
【０００９】以下、本考案にかかる好適な実施形態を図面に基づいて説明する。
本考案の放射性物質による汚染舗装道路の除染方法は、洗浄水を高圧放水する事で除染を行うと共に、除染に使用した洗浄排水を回収し、洗浄排水中の放射性物質を凝集剤により分離除去することで、一般排水として放流することが可能なレベルにするものである。
【００１０】図１において本考案にかかる路面除染小型清掃車の構成を示すと、トラックの荷台に設置された洗浄水タンク１から高圧洗浄機２によって吸い上げられた洗浄水が、スピナー３の放水口より高圧吐出される事で、放射性物質で汚染された舗装道路を除染する。
【００１１】スピナー３は路面に対して円形に数センチメートル浮いた状態で保持される機構であり、断面は２層構造で高圧水は中央部から放水され、外周部で洗浄排水を吸水する構造である。
【００１２】スピナー３からリングブロワー７・同８により吸水される洗浄排水は、回収水タンク４に貯水される。フロートチャンバー５・フィルターチャンバー６を介することで、道路の砂利他のブロワーに損傷を与える物は無くなる。
【００１３】上記の作業が順調に実行されている事を、運転助手席前に設置したモニター等で確認する。
これらの機器の作動電源として発電機９を有し、全てを小型トラックに積載設置している。
【００１４】図２・図３において、本考案の路面除染小型清掃車後下部の除染装置の構成を示すと、トラックの車体フレーム１０にブラケット１１によって、スピナー３をトラックの横方向任意位置に移動可能とするチャンネル１２を固定する。チャンネル１２は固定穴１３を数箇所設けることで、除染する舗装道路の幅に応じて、除染作業範囲を決められる。
【００１５】スピナー３を、トラックの横方向に移動する事で、路面の除染作業が効率良くできる様にチャンネル１２に固定穴１３が５箇所設けてあり、固定ピン１４と移動を容易にする連結ブロック１５が設置されている。
【００１６】スピナー３は、上記機構にメインブロック１６によって取り付けられる。持上げアーム２４を上下することで、路面を除染する場合は路面に近づけ、除染作業をしない時は路面から離すことができる機構。プランジャー２５の出入りにより持上げアーム２４は上下位置を保持される。
【００１７】路面の凸凹に装置が追従して洗浄効率を良くする目的のダンパー機構は、メインブロック１６にリニアブッシュ１７・メインシャフト１８・シャフト連結板１９が連結され、スピナー３に連結支柱２３によって連結された、Ｚブロック２０・ローリングブロック２１・ピッチングブロック２２のバランス保持により構成される。
【００１８】スピナー３の上面に設置されたブレ止め支点２６・ブレ止め２７は、ロックピン２８にてメインシャフト１８に連結され、除染の際にはスピナー３が路面凸凹に沿って平行に動き、持上げアーム２４でスピナー３を上げる場合には平行に上がる動作目的の為に設置される。
【００１９】チャッキ弁２９・バルブソケット３０・エルボ３１は、洗浄排水を回収水タンク４に吸収させるホースをスピナー３に固定する物である。
【実施例】
【００２０】以下に本考案の一実施形態による路面除染小型清掃車により、放射性物質で汚染された舗装道路に対する除染の実施例を示す。
住宅が密集した道路を１Ｋｍ範囲で除染工事する場合、工事範囲を一般車両の通行禁止とし、除染装置を車の左端に固定して、路面とスピナーの間隔を調整した後に、除染作業を実施。工事範囲距離を除染した後に除染装置を横に１段階移動させてから、同様に走行して除染作業を実施する。同様の作業を道路の幅に合わせて繰り返す事で、除染作業を実施する。
【産業上の利用可能性】
【００２１】本考案は、小型トラックに除染装置を設置していることにより、細い道や交差点の多い住宅街での除染作業に適している。又、ダンパー機構を有する為、路面状況に沿って装置が動く等、除染作業効率が良い除染清掃車として、早急な対応が望まれている福島県を筆頭に、多くの除染工事に貢献できる物である。
【符号の説明】
【００２２】  １  洗浄水タンク
２  高圧洗浄機
３  スピナー
４  回収水タンク
５  フロートチャンバー
６  フィルターチャンバー
７  リングブロワー１
８  リングブロワー２
９  発電機
１０  車体フレーム
１１  ブラケット
１２  チャンネル
１３  固定穴
１４  固定ピン
１５  連結ブロック
１６  メインブロック
１７  リニアブッシュ
１８  メインシャフト
１９  シャフト連結板
２０  Ｚブロック
２１  ローリングブロック
２２  ピッチングブロック
２３  連結支柱
２４  持上げアーム
２５  プランジャー
２６  ブレ止め支点
２７  ブレ止め
２８  ロックピン
２９  チャッキ弁
３０  バルブソケット
３１  エルボ
【図１】
0003193797.tif 000003
【図２】
0003193797.tif 000004
【図３】
0003193797.tif 000005